(57)【要約】【課題】内部に電子機器等発熱を伴う機器を収納する収納家具において、内部に収納した機器全体を効果的にかつ少ないエネルギーで冷却する。【解決手段】内部に電子機器等発熱を伴う機器を収納する収納家具たるワゴン１の底面に吸気口１ａを開口して設けるとともに、この吸気口１ａの上方にワゴン排気部１ｂを設けて排気を行うようにした。【選択図】図１０
2004016616.tif 000002
【特許請求の範囲】
【請求項１】
内部に情報機器等発熱を伴う機器を収納するものであって、底面に吸気口を開口して設けているとともに、この吸気口の上方に排気部を設けて排気を行うように構成していることを特徴とする収納家具。
【請求項２】
前記排気部を背面に設けていることを特徴とする請求項１記載の収納家具。
【請求項３】
内部を棚板の下方の棚下空間と棚板の上方の棚上空間との間で通気可能に構成した棚構造としていることを特徴とする請求項１又は２記載の収納家具。
【請求項４】
棚板にパンチング孔を形成していることを特徴とする請求項３記載の収納家具。
【請求項５】
棚板の前面、側面又は背面と収納家具の内面との間に隙間を形成していることを特徴とする請求項３記載の収納家具。
【請求項６】
前記棚板の高さ位置を変更可能にしているとともに、棚板の高さ位置の可変領域上端よりも上方にわたって排気部たる排気のための開口が存在することを特徴とする請求項３、４、又は５記載の収納家具。
【請求項７】
排気部を２箇所に開口して設けるとともに、これら２箇所の排気部からの排気の割合を可変に構成した排気部閉塞手段を設けていることを特徴とする請求項１、２、３、４、５、又は６記載の収納家具。
【請求項８】
床に空調吹出口を設けた空調システムとともに用いられ、前記吸気口を前記空調吹出口の上方に配置するとともに、前記吸気口と前記空調吹出口との間に排気漏れ防止部材を介在させていることを特徴とする請求項１、２、３、４、５、６、又は７記載の収納家具。
【請求項９】
下端部にキャスタを設け、移動可能に構成していることを特徴とする請求項１、２、３、４、５、６、７、又は８記載の収納家具。
【請求項１０】
請求項１、２、３、４、５、６、７、８、又は９記載の収納家具とともに用いられ、枠材と、板面を有し枠材に取り付けられるパネル要素とを具備するパネルを用いて構成し、パネル内又はパネル間に排気通路を確保しているとともに、前記収納家具を前記パネルの前方又は後方に配置し、前記収納家具に設けた前記排気部と接続した排気流通口をパネル要素に設け、さらに前記パネルに上排気部を設けていることを特徴とするパネルシステム。
【請求項１１】
前記収納家具の上方に天板を配置可能に構成していることを特徴とする請求項１０記載のパネルシステム。
【請求項１２】
前記排気部と前記排気流通口との間に排気漏れ防止部材を介在させていることを特徴とする請求項１０又は１１記載のパネルシステム。
【請求項１３】
前記排気流通口を設けたパネル要素の枠材を挟んで反対側に下排気部を有するパネル要素を設けるとともに、収納家具の排気部から前記下排気部に通気可能に構成していることを特徴とする請求項１２記載のパネルシステム。
【請求項１４】
前記上排気部からの排気量と前記下排気部からの排気量との割合を可変に構成していることを特徴とする請求項１３記載のパネルシステム。
【発明の詳細な説明】
【０００１】
【発明の属する技術分野】
本発明は、発熱を伴う機器を収納する収納家具及び前記収納家具とともに用いられるパネルシステムに関する。
【０００２】
【従来の技術】
近年、いわゆるＩＴ技術の普及により、パーソナルコンピュータ（以下パソコン）を各人の執務スペースごとに１台ないし複数台用いることが多くなってきている。
【０００３】
このパソコンの配置の一例として、執務用机の天板下方にパソコン収納用の収納家具を置き、この収納家具の内部にパソコンの本体を収納して天板上のスペースを有効利用する形態が考えられている。
【０００４】
一方、パソコン本体には半導体などが高密度に配置されているのでパソコン本体の内部に熱が発生し、特に執務用机の天板下方や収納家具内にパソコンを配置すると天板下方の空間や収納家具内に熱がこもりやすくなるので、効果的に冷却していわゆる熱暴走を防ぐ必要がある。また、常に天板下方の空間に排気すると、人や周囲の気温によっては不快感を感じることがある。そこで、パソコン本体の冷却に用いて暖められた空気をファンを用いて強制的に吸排気することが考えられている。
【０００５】
【発明が解決しようとする課題】
しかし、ファンを用いて強制的に吸排気を行うようにすると、ファンを運転するためにエネルギーが必要であり、またファンの故障により熱が収納家具内にこもってパソコンがいわゆる熱暴走を起こしやすくなる可能性がある。
【０００６】
ファンを用いずに排気を行い、効果的に冷却のための空気を取り入れることができれば、少ないエネルギーで、かつ安全にパソコン全体を冷却することを図ることができる。
【０００７】
以上に述べた問題は、パソコンのみならず、その他の情報機器等、発熱を伴い、いわゆる熱暴走の可能性のある機器を収納する際には一般的に存在し得る。
【０００８】
そこで本発明は以上に述べた問題を解決し、少ないエネルギーでかつ効果的にパソコン等発熱を伴う機器を収納する部分に空気を導入して排気する手段を提供するものである。
【０００９】
【課題を解決するための手段】
すなわち本発明に係る収納家具は、内部に情報機器等発熱を伴う機器を収納するものであって、底面に吸気口を開口して設けているとともに、吸気口の上方に排気部を設けて排気を行うように構成していることを特徴とする。
【００１０】
このようなものであれば、発熱を伴う機器により暖められた空気が自然対流の原理により上方から排出されるとともに、冷却するための空気が底面に設けた吸気口から供給されるので、少ないエネルギーで効果的に収納家具に収納されたパソコン等発熱を伴う機器全体を冷却することができる。また、人のいない上方の空間に排熱するので、人に不快感を与える度合いを減らすことができる。
【００１１】
前記排気部を背面に設けているものであれば、パソコン等の機器には背面に排気を行うファンが内蔵されていることが多いので、このファンの作用を利用することができ、また熱せられた排気が還流して再びパソコン等の機器に吸い込まれることを防ぐことができる。
【００１２】
内部を棚構造とした収納家具において、棚に載せ置いた機器を有効に冷却するようにするには、内部を棚板の下方の棚下空間と棚板の上方の棚上空間との間で通気可能に構成した棚構造とすればよい。冷却するための空気が棚板の下方の棚下空間から棚板の上方の棚上空間に導入されるようになるからである。
【００１３】
さらに効果的に機器を冷却するには、棚板にパンチング孔を設ければよい。棚板に載せ置いた機器の下方のパンチング孔から空気が導入され、効果的にパソコン等を冷却することができるからである。
【００１４】
棚板の前面、側面又は背面と収納家具の内面との間に隙間を形成したものであっても、棚板に載せ置いた機器の下方の隙間から空気が導入され、さらに効果的に機器を冷却することができる。
【００１５】
収納家具の内部構造を柔軟に変更できるようにしつつ有効に機器の冷却を行うようにするには、前記棚板の高さ位置を可変にしているとともに、棚板の高さ位置の可変領域上端よりも上方にわたって、排気のための開口が存在するものにすればよい。
【００１６】
パソコン等により暖められた空気を収納家具の側方に着座した者に対する部分暖房に選択的に再利用できるようにするには、排気部を２箇所に開口して設けるとともに、これら２箇所の排気部からの排気の割合を選択可能に構成した排気部閉塞手段を設ければよい。このように構成すれば、２箇所の排気部のいずれかを着座者に向けて開口したものとすることにより、排気を着座者に向けて流すことで個人的な局所暖房を行うことができるからである。
【００１７】
床に空調吹出口を設けた空調システムからの風を有効に利用するには、前記吸気口を前記空調吹出口の上方に配置するとともに、前記吸気口と前記空調吹出口との間に排気漏れ防止部材を介在させればよい。排気漏れ防止部材により空調システムからの風が外部に漏れることなく吸気口に送られるからである。
【００１８】
さらに、このような収納家具の下端部にキャスタを設け、移動可能に構成したものであれば、オフィス等で使用する際にオフィスレイアウトを変更しやすくできる。
【００１９】
さらに、枠材と、板面を有し枠材に取り付けられるパネル要素とを具備するパネルを用いて構成し、パネル内又はパネル間に排気通路を確保しているとともに、前記収納家具を前記パネルの前方又は後方に配置し、前記収納家具に設けた前記背面排気口と連続した排気流通口をパネル要素に設け、さらに前記パネルに上排気部を設けているパネルシステムをこのような収納家具とともに利用したものであれば、収納家具内部からの排気を自然対流の原理を利用して効果的に排気できる。
【００２０】
前記収納家具の上方に天板を配置可能に構成しているものであれば、情報機器等により熱せられて収納家具から排出された空気が天板下方にこもりにくい構成を実現しつつ執務等を行う天板の下方に情報機器などを収納した収納家具を配置できる。
【００２１】
さらに、情報機器等により熱せられた空気が天板下方にこもらないようにするには、前記背面排気口と前記排気流通口との間に排気漏れ防止部材を介在させればよい。
【００２２】
また、このようなパネルシステムにおいてパソコン等により暖められた空気を部分暖房に再利用できるようにするには、前記排気流通口を設けたパネル要素の枠材を挟んで反対側に下排気部を有するパネル要素を設けるとともに、収納家具の排気口から前記下排気部に通気可能に構成すればよい。このようにすれば、パネルを挟んで収納家具を互い違いに配置することで、パネルを挟んで反対側の収納家具からの排気を取り入れて部分暖房を行うことができるからである。
【００２３】
必要に応じて部分暖房を調整できるようにするには、前記上排気部からの排気量と前記下排気部とからの排気量との割合を可変に構成すればよい。
【００２４】
【発明の実施の形態】
以下に本発明の一実施形態について述べる。
【００２５】
本実施形態に係る収納家具たるワゴン１は、平面図を図１、正面図を図２にそれぞれ示すように、パネル２を用いて形成したパネルシステムたるローパーティションＬＰの前方又は後方に配置して使用する。
【００２６】
より具体的には、ワゴン１は、正面図を図３、背面図を図４、底面図を図５、横断面図を図６、縦断面図を図７に示すように、その内部に情報機器等を収納するものであり、ワゴン本体１１と、ワゴン本体１１の内部に取り付けられる棚板１２と、ワゴン本体１１の前面を形成し、開閉可能に構成している前扉１３とを備えている。前扉１３を取り除いた状態の正面図を図８に示す。ワゴン本体１１はさらに、上面を形成する天板１１１と、両側面を形成する１対の側板１１２と、背面を形成する背板１１３と、底面を形成する底板１１４と、下端部に取り付けられたキャスタ１１５とを有する。片側の側板１１２には、内部に収納する情報機器ＰＣ等の電源コードを挿し通す配線挿通口１ｘを設けている。そして、側板１１２の内面には前後に対をなして構成される棚板取付スリット１２ａが上下方向に複数設けてあり、棚板１２をこの棚板取付スリット１２ａ及び棚板取付部材１２１を介して高さ位置を変更可能に取り付けるようにしている。棚板１２の幅寸法は棚板取付スリット１２ａ間の寸法に略一致させてあり、奥行き寸法はワゴン本体１１よりも小さくしてある。さらに、前扉１３は、図示しない蝶番によりワゴン本体１１に取り付けられるとともに、その背面の外周部に図示しないパッキンを設けていて、情報機器により熱せられた空気が前扉１４とワゴン本体１１との間の空間から漏れないように構成している。なお、本実施形態では、前扉１３の前面に、開閉の際に把持する把手１３１と内部を確認するための窓１３２とを設けてある。前記窓１３２は、例えばガラス等の透明な材料を用いて構成している。
【００２７】
しかして、ワゴン本体１１の底板１１４には、吸気口１ａを開口して設けてある。すなわち、このワゴン１の底面には吸気口１ａが開口して設けられている。一方、背板１１３の上部には排気部たるワゴン排気口１ｂを開口して設けてあり、このワゴン排気口１ｂの上端は、棚板１２の高さ位置の可変領域の上端よりも上方にある。すなわち、情報機器ＰＣにより熱せられた空気が上昇してこのワゴン排気口１ｂから排出されるとともに、冷却のための新たな空気を前記吸気口１ａから取り入れるようにしている。
【００２８】
さらに、側板１１２の奥行き方向略中央部には凹みが設けてあり、棚板取付スリット１２ａは凹みの外側に設けるようにしている。また、上述したように、棚板１２の幅寸法は棚板取付スリット１２ａ間の寸法と略一致させてある。従って、棚板１２と側板１１２との間には隙間１２ｓ１がある。また、上述したように棚板１２の奥行き寸法はワゴン本体１１よりも小さくしてあるので、棚板１２と背板１１３との間にも隙間１２ｓ２があり、棚板１２と前扉１３との間にも隙間１２ｓ３がある。これらの隙間１２ｓ１、１２ｓ２、および１２ｓ３により、棚板１２の下方の棚下空間と棚板１２の上方の棚上空間との間で通気可能にしている。
【００２９】
そして本実施形態では、このワゴン１は床に空調吹出口ＡＣを設けた空調システムとともに用いられ、前記吸気口１ａを前記空調吹出口ＡＣの上方に配置するとともに、前記吸気口１ａの周囲に排気漏れ防止部材たる吸気側パッキン１４を設け、この吸気側パッキン１４が床面に密着するようにしている。すなわち、前記吸気口１ａと前記空調吹出口ＡＣとの間に吸気側パッキン１４を介在させていて、空調吹出口ＡＣからの風が漏れなく前記吸気口１ａに取り入れられるように構成している。
【００３０】
さらに、前記ワゴン排気口１ｂを周囲には、排気漏れ防止部材たる排気側パッキン１５を設けてあり、後述するようにパネル２に密着させるようにしている。
【００３１】
一方、ローパーティションＬＰは、平面図を図１、正面図を図２、斜視図を図９、縦断端面図を図１０にそれぞれ示すように、パネル２を幅方向に複数、本実施形態では６個連結して構成している。このパネル２は、枠材２１と、この枠材２１の前面又は後面に取り付ける種々のパネル要素２２と、枠材の下端に取り付ける幅板２３と、枠材の上端に取り付ける笠板２４とを具備する。前記枠材２１は、支柱２１１と、支柱間に横架して設けた横梁２１２とを備えている。前記横梁２１２の奥行き寸法は、支柱２１１の奥行き寸法より小さくしてあり、パネル要素２２との間に空間を設けている。パネル要素２２は、その幅寸法が枠材２１と略同一であり、例えば枠材２１に設けたフック孔（図示略）を介して取り付けるようにしている。また、本実施形態では上部にガラス窓２ｘを有するパネル要素２２を取り付けるようにしている。なお、本実施形態ではさらに、幅方向に連結したパネル２の両端部にさらにパネル２を２枚ずつ直交して取り付けて、全体として平面視扁平Ｈ字状をなすようにしている。そして、一端にさらに机４を、例えば一端縁をパネル２に当て、ブラケット４１を介してパネル２に固定する等して取り付けられるようにしている。
【００３２】
さらに、このローパーティションＬＰを構成するパネル２の前方又は後方に前記ワゴン１を配置するようにしている。より具体的には、図１に示すように前記ワゴン１が互い違いになるように配置している。そして、このワゴン１と対向するパネル要素２２の、ワゴン排気口１ｂと対向する位置には排気流通口２ａを開口して設けている。また、上述したように前記ワゴン排気口１ｂの周囲に排気漏れ防止部材たる排気側パッキン１５を設け、この排気側パッキン１５をワゴン排気口１ｂと排気流通口２ａとの間に介在させることにより、ワゴン１内の情報機器ＰＣ等により熱せられた空気が外部に漏れることなくパネル要素２２間の空間に排出されるようにしている。そして、正面及び背面のパネル要素２２間の空間を排気通路とするとともに、前記笠板２４にパンチング孔を設け、上排気部２ｂを形成している。ここで、前記ワゴン排気口１ｂの幅寸法は前記排気流通口２ａの幅寸法よりも大きくしてある。
【００３３】
ここで、本実施形態では、１人が使用する幅を前記パネル２の幅寸法の２倍とし、幅方向に連結したパネル２の前後両面の高さ方向略中央部にそれぞれ天板３をブラケット３１を介して取り付けるとともに、この天板３の下方に天板支持脚３２を取り付けて支持させている。さらに、この天板３の下方に前記ワゴン１を収納する、すなわちワゴン１の上方に天板３を配置するようにしているとともに、１人分の区画に２つのパネル２を有し、一方のパネル２は排気流通口２ａを設けたパネル要素２２を有する。そして、他方のパネル２は、下排気部２ｃを開口して設けたパネル要素２２を有し、情報機器ＰＣ等により熱せられて前記排気流通口２ａから排出された排気をこの下排気部２ｃから吹き出させることも可能にしている。なお、天板３の上面には、必要に応じて図９の想像線に示す間仕切り３３を取り付けることができるようにしている。
【００３４】
排気流通口２ａからの排気の排出の比率は、図１０に示すように、バタフライ弁２５により調整可能にしている。このバタフライ弁２５付近の拡大図を図１１に示す。このバタフライ弁２５は、パネル２の内部に取り付けられ、図１０及び図１１の実線に示す全閉位置と同図の想像線に示す全開位置との間を移動可能に構成している。すなわち、バタフライ弁２５が全閉位置にあると、排気流通口２ａからの排気は図１１の矢印ａに示すように、すべて上排気部２ｂに流れる。一方、バタフライ弁２５が全開位置にあると、排気流通口２ａからの排気は図１１の矢印ｂに示すように、すべて下排気部２ｃに流れる。さらに、図示は省略するが、このバタフライ弁２５を全閉位置と全開位置との間の位置に設定して排気流通口２ａからの排気の一部を上排気部２ｂに流し、残りを下排気部２ｃに流すようにすることもできるようにしている。
【００３５】
以上のように、ワゴン１の底面に吸気口１ａを開口して設けるとともに、背面にワゴン排気口１ｂを設けて上方から排気を行うように構成しているので、温められた空気が上方から排出されるとともに、冷却のための空気が底面の吸気口１ａから取り入れられるので、自然対流の原理を利用して少ないエネルギーで内部の情報機器ＰＣ等の全体を効果的に冷却することができる。
【００３６】
また、内部を棚構造とし、棚下空間と棚上空間との間で通気可能にしているので、情報機器を安定して置けるとともに、棚下空間から空気を送り込み、効果的に冷却することができる。特に、棚板取り付けフック１２１をワゴン本体１１の側板１１２から張り出して設け、棚板１２と側板１１２との間に隙間１ｓ１を設けることで、簡単な構成で情報機器ＰＣ等を効果的に冷却することができる。
【００３７】
さらに、棚板１２の高さ位置を変更可能にしているので、内部の構成をさまざまな態様に対応させることができるとともに、ワゴン排気口１ｂの上端を棚板１２の高さ位置の可変領域よりも上方にしているので、情報機器ＰＣ等により暖められた空気を確実に排気できる。
【００３８】
一方、このように構成したワゴン１を、枠材２１の前後両面に種々のパネル要素２２を取り付けて構成したパネル２を用いて構成したローパーティションＬＰの前方又は後方に配置し、ワゴン１と対向するパネル要素２２のワゴン排気口１ｂと対向する位置には排気流通口２ａを開口して設けるとともに、正面及び背面のパネル要素２２間の空間を排気通路としてパネル２の上部に上排気部２ｂを設け、前記上排気部２ｂから排気するようにしているので、ワゴン１からの排気を自然対流の原理を利用して効果的に排気できる。なお、本実施形態では前記ワゴン排気口１ｂの幅寸法は前記排気流通口２ａの幅寸法よりも大きくしてあるので、ワゴン１の幅方向の位置がずれても排気を前記排気流通口２ａに流すことができる。
【００３９】
特に、ワゴン１のワゴン排気口１ｂとパネル要素２２の排気流通口２ａとの中に排気側パッキン１５を介在させているので、ワゴン１からの排気が外部に漏れないようにできる。
【００４０】
そして、この排気流通口２ａを設けたパネル要素２２の枠体２１を挟んで反対側に、下排気部２ｃを設けたパネル要素２２を設け、前記排気流通口２ａからの排気をこの下排気部２ｃから吹き出させることも可能にしているので、ワゴン１からの排気を足元暖房に再利用できる。
【００４１】
加えて、バタフライ弁２５を用いて前記上排気部２ｂと下排気部２ｃとからの排気量の割合を調整できるので、必要に応じて床下暖房の強度を調整できる。
【００４２】
なお、上述した実施形態のように構成すると、パネル２をはさんで反対側に着座した者がワゴン内１の機器を使用していない場合には足元暖房を利用できない。この不具合を解消し、ワゴン１からの排気を足元暖房に確実に再利用するには、ワゴン１を以下に述べる実施態様のように構成してもよい。
【００４３】
この実施態様に係るワゴン１は、図１２に示すように、上述した実施形態に述べた構成に加えて、側面に第２の排気部たる第２ワゴン排気口１ｃを設けるとともに、ワゴン排気口１ｂからの排気量と第２ワゴン排気口１ｃからの排気量との割合を選択可能に構成した排気口閉塞手段たるシャッタ１６を備えている。第２ワゴン排気口を設けた側に着座している場合には、前記シャッタ１６を操作することにより、着座者自身が受ける排気の量を簡単に調整できる。但し、このように構成した場合には、足元暖房を利用すると背面のワゴン排気口１ｂからの排気量が減少し、ワゴン１内部の機器に内蔵された背面に排気するファンの作用を利用しにくくなるので、熱せられた排気が還流してワゴン１内部の機器を冷却する効率が低下しうる。
【００４４】
また、図１３に示すように、枠材２１の片面にのみパネル要素２２を取り付けたパネル２を２枚重合させて配置し、パネル２間の空間を排気通路とする構成としてもよい。この場合、パネル２枚分の幅寸法を有する笠板２４を用いるものとし、この笠板２４には上述した実施形態と同様にパンチング孔を設ける。また、支柱２１１と奥行き寸法が略同一である横梁２１３を枠材２１に用いてもよい。
【００４５】
さらに、棚板１２にパンチング孔を設けてもよい。このようにすれば、情報機器ＰＣ等を載せ置いた棚板１２に設けたパンチング孔を介して情報機器ＰＣ等の周辺に空気が導入され、より効果的に情報機器ＰＣ等を冷却できる。なお、棚板１２にパンチング孔を設けた場合、パンチング孔を介して空気が導入されるので、棚板１２の周囲に隙間を設けなくてもよい。
【００４６】
これ以外の構成も、さまざまなものが考えられる。例えば、パネルを連結する数は６枚でなくてもよいし、パネルの配置も上述した実施形態以外のものであってもよい。
【００４７】
また、パネルを壁面に密着させるとともに、ワゴンからの排気をすべて上方に設けた上排気部から排出する構成も考えられる。
【００４８】
さらに、内部に情報機器等の電源たるコンセントを設けてもよい。
【００４９】
一方、吸気口を床に設けた空調吹出口の上方に設ける代わりに、吸気口を設けた底板の底面と床面との間に隙間を設けて平らな床面の上に配置し、ワゴンの下方から空気を取り入れるようにする構成も考えられる。
【００５０】
その他にも、笠板にパンチング孔を設ける代わりに、他の形状の孔ないし開口を設けて上排気部を形成する態様や、上部に位置するパネル要素に切り欠き等の開口部を設けて上排気部を形成する態様も考えられる。
【００５１】
そして、ワゴンの背板とパネル要素とを密着可能に構成する等、他の方法で排気が漏れないようにして排気漏れ部材を省略するようにしてもよい。
【００５２】
加えて、収納家具として下端部にキャスタを設けて移動可能に構成したワゴンについて以上に述べてきたが、移動可能でない収納家具についても同様に、底面に吸気口を開口して設け、排気部を設けて上方から排気を行うようにすれば、同様の効果が得られる。その他、本発明の趣旨を損ねない範囲でさまざまな変形を行い得る。
【００５３】
【発明の効果】
本発明は、内部に情報機器等発熱を伴う機器を収納する収納家具であって、底面に吸気口を開口して設けているとともに、上方から排気を行うように構成しているので、発熱を伴う機器により暖められた空気が自然対流の原理により上方から排出されるとともに、冷却するための空気が底面に設けた吸気口から供給され、少ないエネルギーで収納された情報機器等を効果的に冷却することができる。
【図面の簡単な説明】
【図１】本発明の一実施形態に係るワゴンとローパーティションとを組み合わせた状態を示す平面図。
【図２】同実施形態に係るワゴンとローパーティションとを組み合わせた状態を示す正面図。
【図３】同実施形態に係るワゴンを示す正面図。
【図４】同実施形態に係るワゴンを示す背面図。
【図５】同実施形態に係るワゴンを示す底面図。
【図６】同実施形態に係るワゴンの横断面図。
【図７】同実施形態に係るワゴンの縦断面図。
【図８】同実施形態に係るワゴンの前扉を取り外した状態を示す正面図。
【図９】同実施形態に係るローパーティションを示す斜視図。
【図１０】同実施形態に係るワゴンとローパーティションとを組み合わせた状態を示す縦断端面図。
【図１１】図１０におけるバタフライバルブ近傍の拡大図。
【図１２】本発明の他の実施態様に係るワゴンを示す図。
【図１３】本発明の他の実施態様における図１０と同じ部位の断端面図。
【符号の説明】
１…ワゴン（収納家具）
１ａ…吸気口
１ｂ…ワゴン排気口（排気部）
１ｃ…第２ワゴン排気口（排気部）
１１５…キャスタ
１２…棚板
１４…吸気側パッキン（排気漏れ防止部材）
１５…排気側パッキン（排気漏れ防止部材）
１６…シャッタ（排気部閉塞手段）
２…パネル
２ａ…排気流通口
２ｂ…上排気部
２ｃ…下排気部
２１…枠材
２２…パネル要素
３…天板
ＬＰ…ローパーティション（パネルシステム）
【図１】
2004016616.tif 000003
【図２】
2004016616.tif 000004
【図３】
2004016616.tif 000005
【図４】
2004016616.tif 000006
【図５】
2004016616.tif 000007
【図６】
2004016616.tif 000008
【図７】
2004016616.tif 000009
【図８】
2004016616.tif 000010
【図９】
2004016616.tif 000011
【図１０】
2004016616.tif 000012
【図１１】
2004016616.tif 000013
【図１２】
2004016616.tif 000014
【図１３】
2004016616.tif 000015